(57)【要約】【課題】植物を支持する部材を前後に配置した場合に、日当たりの悪い側にも日射を確保できる植物支持体を提供する。【解決手段】地表に立設された支柱１を前後に挟んで、植物を支持可能なメッシュパネル２が対向して配置され、メッシュパネル２は、両端部が対向するメッシュパネル２に向けて曲折されて側面部２３が形成されて断面コ字状となされると共に、対向するメッシュパネル２の側面部２３どうしの間には隙間Ｓ１が設けられるように植物支持体を構成する。【選択図】        図１
2010057420.tif 000002
【特許請求の範囲】
【請求項１】
地表に立設された支柱を前後に挟んで、植物を支持可能なメッシュパネルが対向して配置され、該メッシュパネルは、両端部が対向するメッシュパネルに向けて曲折されて側面部が形成されて断面コ字状となされると共に、対向するメッシュパネルの前記側面部どうしの間には隙間が設けられていることを特徴とする植物支持体。
【請求項２】
前記メッシュパネルは、前方に向けて突設された照明装置を有していることを特徴とする請求項１に記載の植物支持体。
【請求項３】
前記照明装置は、太陽電池パネルと照明部材とが一体的に設けられていることを特徴とする請求項２に記載の植物支持体。
【発明の詳細な説明】
【技術分野】
【０００１】
本発明は、蔓性植物等の植物を支持する植物支持体に関するものである。
【背景技術】
【０００２】
一般に、建物や建物の外構等の壁面等には、ヒートアイランド対策等として、植栽が施され緑化対策が施されている。これらの植栽は、建物に対する日射を避けて建物内の温度上昇を低減させることが主な目的である場合が多く、周辺を通行する通行人の目を休める等の効果は期待できても、通行人に対して木陰を提供できるものではない。
【０００３】
一方、通行人に対して木陰を提供するには、比較的大きな樹木を植栽する必要があるが、この場合、植物に見合った歩道の幅が必要となり、又植物の剪定や管理が大がかりとなるため、実施できる場所は限られる。
【０００４】
そこで、直立軸の四周を網状体で囲繞して内部に蔓性植物の育成空間を設けた巻き付け体と、該巻き付け体に巻き付けた蔓性植物と、巻き付け体を地面に支持する支持脚とからなる疑似樹木が提案されている。
【０００５】
この疑似樹木は、巻き付け体に対して植物が絡み付きやすく、種々の形状の疑似樹木をつくることができ、しかも巨大化することがないので、維持管理費を軽減させることができるものである。
【特許文献１】実開平３−１０６３１５号公報
【発明の開示】
【発明が解決しようとする課題】
【０００６】
ところで、一般に、四周を網状体で囲繞して内部に蔓性植物の育成空間を設けた場合、日当たりの良い箇所と、その反対側の日当たりの悪い箇所ができるので、植物の生長に差が生じる場合がある。生長が早い植物は、網状体の上端まで伸びると、次は網状体に沿って横方向に伸びる。そして、日当たりの悪い箇所の上方にまで回り込んで伸びると、日当たりの悪い側の植物は、側方のみでなく上方の日当たりも悪くなって、生長が阻害される恐れがあり、その点が問題であった。
【０００７】
本発明は、前記の如き問題点を解消し、植物を支持する部材を前後に配置した場合に、日当たりの悪い側にも日射を確保できる植物支持体を提供せんとするものである。
【課題を解決するための手段】
【０００８】
上記目的を達成するために、本発明は次のような構成としている。
すなわちこの発明に係る植物支持体は、地表に立設された支柱を前後に挟んで、植物を支持可能なメッシュパネルが対向して配置され、該メッシュパネルは、両端部が対向するメッシュパネルに向けて曲折されて側面部が形成されて断面コ字状となされると共に、対向するメッシュパネルの前記側面部どうしの間には隙間が設けられていることを特徴とするものである。
【０００９】
本発明に係る植物支持体において、メッシュパネルから前方に向けて照明装置を突設した構成としたものでもよい。
【００１０】
又、本発明に係る植物支持体において、前記照明装置を、太陽電池パネルと照明部材とが一体的に設けられているように構成してもよい。
【発明の効果】
【００１１】
本発明によれば、支柱を挟んで間隔をおいて対向して配置されたメッシュパネルは、両端部から対向するメッシュパネルに向けて曲折されて側面部が形成された断面コ字状となされると共に、対向するメッシュパネルの前記側面部どうしの間は隙間が設けられているので、一方のメッシュパネルに支持された植物がパネル上端まで生長しても、もう一方のメッシュパネルへは伸びにくく、もう一方のメッシュパネルに支持された植物に対して上方からの日射が確保され生長させることができる。
【００１２】
本発明に係る植物支持体において、メッシュパネルから外方に向けて照明装置を突設すれば、照明装置による照明光は、植物支持体により後方への照射が遮られ、前方或いは側方にのみに照射されるため、植物支持体の後方に建物等がある場合に、通行人のために夜間連続照射しても、建物側には照射光が当たりにくくなり、建物に住む人の就寝を阻害するおそれが少なくなる。
【００１３】
又、本発明に係る植物支持体において、前記照明装置を、太陽電池パネルと照明部材とが一体的に設けられるようにすれば、電源工事が不要となり、任意の箇所に適宜設置することができる。
【発明を実施するための最良の形態】
【００１４】
次に、本発明を実施するための最良の形態について図面を参照し、具体的に説明する。
【００１５】
すなわち、図１は本発明に係る植物支持体の第１の実施形態を示す説明図、図２は図１の斜視図、図３は図１の主要部の部分拡大図、図４は本発明に係る植物支持体の第２の実施形態を示す斜視図、図５は本発明に係る植物支持体の第３の実施形態を示す斜視図、図６は本発明に係る植物支持体の第４の実施形態を示す斜視図である。
【００１６】
図面において、１は支柱、２は支柱１の前後に取付けられたメッシュパネルであり、本発明に係る植物支持体は、支柱１とメッシュパネル２とから主に構成され、メッシュパネル２に蔓性植物等の植物Ｋが支持できるようになされたものである。
【００１７】
図１〜図３は、本発明に係る植物支持体Ｐの第１の実施形態を説明するものである。図１は本実施形態に係る植物支持体Ｐの説明図であり、（ａ）は平面図、（ｂ）は正面図、（ｃ）は側面図を示すものである。図２において（ａ）は図１の斜視図であり、（ｂ）は植物支持体Ｐに植物Ｋが支持された状態である。先ず、支柱１は、地表から立設され、支柱１から前後に突設された取付部材３を介して、支柱１の前後にメッシュパネル２が取付けられたものである。これにより、前後のメッシュパネル２を所定の間隔に保持することができる。支柱１は、一般には、一般には鋼管、アルミニウム合金型材等からなる金属管から作成され、塗装や鍍金などの表面塗装が適宜施されたものである。
【００１８】
支柱１は、本実施形態では、図１，２に示すように、左右方向に間隔をおいて２個の支柱１が立設され、それぞれの支柱１，１から前後に突設された取付部材３を介してメッシュパネル２が取付けられている。これにより、メッシュパネル２の側端部の前後方向に対する位置調整が可能となる。
【００１９】
メッシュパネル２は、蔓性植物等の植物Ｋを巻きつかせて生長させる支持材料であれば、特に限定されるものではなく、例えば、縦横の線材を格子状に組み合わせたもの、サインカーブ状あるいは鋸歯状等の波形に形成された線材を格子状に組み合わせたもの、線材が縦方向のみに並行に配置されたもの、あるいはこれらを組み合わせたもの、線材が右斜め及び左斜めに配置されて菱形状の網目が形成されたもの、線材の代わりに合成繊維や紐等を用いたもの、金属板に並行かつ千鳥状に配列された切れ目を多数形成させて切れ目を網目状に拡げてなるエキスパンドメタルでもよい。また、線材や紐等の交点は、溶接や止め金具等による接合、互いに組み合わせた接合、互いに結び合わせた接合等により接合されてもよく、交点で接合されない形態でもよい。
【００２０】
本形態に係るメッシュパネル２は、いずれも亜鉛めっきが施された多数本の鋼線材２１を縦横格子状に組合せ、その格子の各交点は電気溶接により接合され、更に表面全体を樹脂で被覆されたものであり、生産性や防錆性能等を考慮すると本形態がより好ましい。上下、左右の格子間隔は、植物Ｋの生長の仕方や葉の大きさ等に応じて適宜設定することができる。
【００２１】
メッシュパネル２は、パネル本体２１の側端部が、対向するメッシュパネル２に向けて曲折されて側面部２２，２２が設けられて断面コ字状に形成されている。これにより、メッシュパネル２の剛性が高められて捻れ等の変形が抑えられると共に、側面部２２にも植物Ｋを支持することが可能となるため、正面側のみでなく側面側からも支柱１が見えにくくなり、景観性を高めることができる。尚、側面部２２は、本実施形態では、平板状のメッシュパネル２において、その側部の横線材をプレス加工により垂直に折り曲げて形成されたものであり、部材数が少なく、加工も容易であるため好適に実施できるが、例えば、メッシュパネル２の側端部に別部材となされた側面部２２を接合するものでもよく、更に、前記接合時に接合金具等を用いて接合してもよい。
【００２２】
図３は、図１の主要部の部分拡大図であり、支柱１、メッシュパネル２、及び連結部材３との取付構造を示し、（ａ）は正面図の部分拡大図、（ｂ）は平面図の部分拡大図、（ｃ）及び（ｄ）はメッシュパネル２を支柱１から離れる方向に移動させた後の状態を示す正面図及び平面図の部分拡大図である。支柱１から前後に突設された取付部材３は、支柱１に固着される基部３１と、メッシュパネル２の線材を固定し基部３１を介して支柱１に対して前後方向に移動可能となされた線材固定部３２とからなる。これにより、支柱１との間隔を調整しながらメッシュパネル２を取付けることができる。
【００２３】
取付金具３は、本実施形態では、図１，２に示すように、左右方向に間隔をおいて立設された支柱１からそれぞれ上下３段で前後に突設されたものである。これにより、前後のメッシュパネル２において両側端部の前後方向の位置ずれを抑えて両メッシュパネル２を平行に配置することができる。加えて、左右の取付部材３の上にメッシュパネル２の横線材２３を載置することにより、メッシュパネル２を仮置きすることができるため、作業者が1人であっても取付作業が容易となる。
【００２４】
取付金具３の線材固定部３２は、本実施形態では、固定部本体３３とその前面に押さえ部材３４とを備え、固定部本体３３と押さえ部材３４との間にメッシュパネル２の横線材２３が挟持可能となされている。尚メッシュパネル２の挟持方法は、本実施形態に限られるものではなく、例えば、固定部本体３３の前面下部から支持部が突出され、その上に横線材２３が載置され、更にその上から押さえ部材を配置して横線材２３を挟持するものでもよい。
【００２５】
又、線材固定部３２は、固定部本体３３の後面から基部３１の先端に向けて螺子部３５が突設され、基部３１の先端から内部に向けて螺入されている。又、基部３１は、本実施形態では、後面から内部に向けて螺子孔が形成され、支柱１から前後方向に突設された螺子部に螺合されている。これにより、メッシュパネル２の横線材２３を挟持した状態でメッシュパネル２を前号方向へ移動させることが可能となり、支柱１とメッシュパネル２との間隔調整とメッシュパネル２の取付作業がより容易となる。
【００２６】
更に、図３に示すように、支柱１の前後に取付けられた対向するメッシュパネル２，２の側面部２２，２２どうしの間には隙間Ｓ１が設けられている。これにより、一方のメッシュパネル２に支持された蔓性植物等の植物Ｋの方が早く生長しても、この隙間Ｓ１を超えて対向するメッシュパネル２まで伸びていきにくくなり、もう一方のメッシュパネル２に支持された植物Ｋは、上方から日射を受ける空間を確保することができ、持続的にメッシュパネル２の上端まで生長することができる。
【００２７】
隙間Ｓ１の離間寸法は、特に限定されるものではなく、メッシュパネル２に支持される植物Ｋの種類に応じて適宜設定すればよい。又、隙間Ｓ１の離間寸法は、前記に示すように取付金具３を用いることにより、設置後でも変更することができるので、植物Ｋの生長状況に合わせて後から変更してもよい。
【００２８】
対向するメッシュパネル２，２において、パネル本体２１，２１どうしの隙間Ｓ２は、側面部２２，２２どうしの隙間Ｓ１より広くなされている。これにより、パネル本体２１の上端まで生長した植物Ｋは、隙間Ｓ２を超えて対向するパネル本体２１に伸びていきにくいが、取付部材３を伝って対向するパネル本体２１にまで伸びていく可能性があるので、パネル本体１の上端から、取付部材３に取付けられた横線材２３１までの距離は、隙間Ｓ２の離間寸法より長い方が好ましい。
【００２９】
又、一般に、葉の茂った木立のかげは緑陰と呼ばれ、この緑陰を通った風は温度が下がると言われている。これは、風が葉と葉の間を通るときに、葉表面からの水分の蒸散等により周囲から気化熱が奪うために生じるものと考えられる。従って、メッシュパネル２のパネル本体２１，２１を前後方向に通り抜ける風により、周囲の温度低下が期待できるが、メッシュパネル２に支持された植物Ｋが繁茂すると、前後のパネル本体２１，２１が２重の抵抗となり、風が前後方向には通り抜けにくくなるおそれもあるので、隙間Ｓ１を確保しておけば、左右方向の風の通路を確保することができ、周囲の温度低下も期待することができる。
【００３０】
図４は、本発明に係る植物支持体Ｐの第２の実施形態を示す斜視図である。本形態に係る植物支持体Ｐは、図１〜３に示された植物支持体Ｐと比べて、メッシュパネル２に照明装置４が設けられた点が異なるのみであり、その他の点については、図１〜３に示された植物支持体Ｐと同様である。
【００３１】
すなわち、図４に示された植物支持体Ｐは、前方のメッシュパネル２から前方に向けて照明装置４が突設されたものであり、これにより、メッシュパネル２に支持される植物Ｋを照らし出し、演出性を高めることができる。又、メッシュパネル２の前面が全面的に植物Ｋで覆われる様になされれば、照明装置４から後方に向けて照射される照射光は植物Ｋに遮られるので、夜間、照明装置４を連続的に点灯する場合に、植物支持体Ｐの後方に建物があっても、建物には照明が当たりにくくなり、建物の住人の睡眠を妨げるような問題は起こりにくくなる。
【００３２】
照明装置４は、本実施形態では、照明装置本体４１の後方にはメッシュパネル２の横線材２３に係止される係止部４２が左右に間隔をあけて突設され、照明装置本体４１の下面にはＬＥＤによる照射面４３が形成され、その上面には、図示していないが太陽電池パネルが取付けられ、ＬＥＤに電力を供給するようになされている。これにより、商用電源等の配線が不要であり、必要な箇所に植物支持体Ｐを取付けることができる。
【００３３】
図５は、本発明に係る植物支持体Ｐの第３の実施形態を示す斜視図である。本形態に係る植物支持体Ｐは、図１〜３に示された植物支持体Ｐと比べて、メッシュパネル２にサイン５が取付けられた点が異なるのみであり、その他の点については、図１〜３に示された植物支持体Ｐと同様である。
【００３４】
すなわち、図５に示された植物支持体Ｐは、前方のメッシュパネル２の前面にサイン５が取付けられたものであり、（ａ）に示すように、１個のサイン５が取付けられたものでもよく、（ｂ）及び（ｃ）に示すように、複数のサイン５が取付けられたものでもよい。
【００３５】
図６は、本発明に係る植物支持体Ｐの第４の実施形態を示す斜視図である。本形態に係る植物支持体Ｐは、図１〜３に示された植物支持体Ｐと比べて、メッシュパネル２にサイン５が取付けられた点が異なるのみであり、その他の点については、図１〜３に示された植物支持体Ｐと同様である。
【００３６】
すなわち、図５に示された植物支持体Ｐは、前方のメッシュパネル２に照明装置４及びサイン５が取付けられたものであり、（ａ）に示すように、照明装置４の下方に１個のサイン５が取付けられたものでもよく、（ｂ）及び（ｃ）に示すように、照明装置４の下方に複数のサイン５が取付けられたものでもよい。
【図面の簡単な説明】
【００３７】
【図１】本発明に係る植物支持体の第１の実施形態を示す説明図である。
【図２】図１の斜視図である。
【図３】図１の主要部の部分拡大図である。
【図４】本発明に係る植物支持体の第２の実施形態を示す斜視図である。
【図５】本発明に係る植物支持体の第３の実施形態を示す斜視図である。
【図６】本発明に係る植物支持体の第４の実施形態を示す斜視図である。
【符号の説明】
【００３８】
１    支柱
２    メッシュパネル
２１  パネル本体
２２  側面部
２３  横線材
３    取付金具
３１  基部
３２  線材固定部
３３  固定部本体
３４  押さえ部材
３５  螺子部
４    照明装置
５    サイン
Ｋ    植物
Ｐ    植物支持体
【図１】
2010057420.tif 000003
【図２】
2010057420.tif 000004
【図３】
2010057420.tif 000005
【図４】
2010057420.tif 000006
【図５】
2010057420.tif 000007
【図６】
2010057420.tif 000008